(57)【特許請求の範囲】
【請求項１】
側壁を形成する側壁パネルと、かご出入口の側部に配置され、前記側壁パネルに接続された袖壁パネルとを備えたエレベータのかご室において、
前記袖壁パネルと前記側壁パネルとは、ヒンジ部を介して連結されており、
据付前の状態では、前記袖壁パネルが前記側壁パネルに対して回動可能であり、
前記側壁パネルには、かご操作盤が取り付けられており、
据付前の状態では、前記袖壁パネルを前記側壁パネル側へ回動させることにより、前記かご操作盤が前記袖壁パネルにより覆われるようになっており、
前記かご操作盤は、その前面を開閉する操作盤カバーを有しており、
前記操作盤カバーは、前記ヒンジ部により前記側壁パネルに回動可能に取り付けられていることを特徴とするエレベータのかご室。
【請求項２】
前記袖壁パネルは、前記かご出入口の側部に配置された袖壁部と、前記袖壁部の前記かご出入口とは反対側の端部に、前記袖壁部と同一材料の折り曲げ加工により設けられ、前記側壁の一部を形成する側壁部とを有しており、
前記側壁部の前記袖壁部とは反対側の端部が前記側壁パネルに接続されていることを特徴とする請求項１記載のエレベータのかご室。
【請求項３】
前記袖壁パネルは、据付前の状態では、前記側壁パネルに対して所定の範囲で上下動可能に連結されていることを特徴とする請求項１又は請求項２に記載のエレベータのかご室。
【発明の詳細な説明】
【技術分野】
【０００１】
この発明は、複数のかご室壁を構成する複数枚の壁パネルが、かご床とかご室天井との間に設置されているエレベータのかご室に関するものである。
【背景技術】
【０００２】
従来のエレベータのかご室は、かご床の上方に配置されたかご室天井と、かご床とかご室天井との間に固定された複数枚の壁パネルとを有している。また、壁パネルには、かご室の側面に配置された複数枚の側壁パネルと、かご室の前面のかご出入口の両側に配置された一対の袖壁パネルと、かご室の背面に配置された複数枚の奥壁パネルとが含まれている（例えば、特許文献１参照）。
【０００３】
かご室の据付時には、かご枠及びかご床が昇降路内に組み立てられ、かつ、かご室天井がかご床の上方に吊られた状態で、壁パネルが乗場からかご床上に搬入される。そして、壁パネルの下端部がかご床に固定されるとともに、壁パネルの上端部がかご室天井に固定される。
【０００４】
また、従来のかご室構造では、互いに隣接する側壁パネル同士が、ボルト等で予め締結された状態でかご床上に搬入される。さらに、袖壁パネルと隣接する側壁パネルとの締結は、かごドアが配置される隙間に手を入れて行われる。
【先行技術文献】
【特許文献】
【０００５】
【特許文献１】特開２００４−３０７１７２号公報
【発明の概要】
【発明が解決しようとする課題】
【０００６】
上記のような従来のかご室では、袖壁パネルと側壁パネルとの締結作業を狭い隙間に手を入れて行う必要があったため、手間がかかり、据付作業の作業性が低下していた。
【０００７】
この発明は、上記のような課題を解決するためになされたものであり、据付作業の作業性を向上させることができるエレベータのかご室を得ることを目的とする。
【課題を解決するための手段】
【０００８】
この発明に係るエレベータのかご室は、側壁を形成する側壁パネルと、かご出入口の側部に配置され、側壁パネルに接続された袖壁パネルとを備え、袖壁パネルと側壁パネルとは、ヒンジ部を介して連結されており、据付前の状態では、袖壁パネルが側壁パネルに対して回動可能である。
【発明の効果】
【０００９】
この発明のエレベータのかご室は、袖壁パネルが側壁パネルにヒンジ部を介して連結されているため、据付時に隙間に手を入れて袖壁パネルを側壁パネルに締結する手間を省くことができ、据付作業の作業性を向上させることができる。
【図面の簡単な説明】
【００１０】
【図１】この発明の実施の形態１によるエレベータのかご室を示す正面図であり、かご室内からかご出入口を見た図である。
【図２】図１の側壁パネル及び袖壁パネルの据付前の状態を示す斜視図である。
【図３】この発明の実施の形態２によるエレベータのかご室の要部を示す平面図である。
【図４】図３の側壁パネル及び袖壁パネルの据付前の状態を示す斜視図である。
【図５】この発明の実施の形態３による側壁パネル及び袖壁パネルの据付前の状態を示す斜視図である。
【図６】この発明の実施の形態４による側壁パネル及び袖壁パネルの据付前の状態を示す斜視図である。
【図７】図６の袖壁パネルを側壁パネル側へ回動させた状態を示す斜視図である。
【図８】この発明の実施の形態５による側壁パネル及び袖壁パネルの据付前の状態を示す斜視図である。
【図９】図８のヒンジ部を示す分解斜視図である。
【図１０】この発明の実施の形態６によるヒンジ部を示す斜視図である。
【図１１】この発明の実施の形態７による側壁パネル及び袖壁パネルの据付前の状態を示す斜視図である。
【発明を実施するための形態】
【００１１】
以下、この発明を実施するための形態について、図面を参照して説明する。
実施の形態１．
図１はこの発明の実施の形態１によるエレベータのかご室を示す正面図であり、かご室内からかご出入口を見た図である。図において、かご床１の上方には、かご室天井２が水平に配置されている。かご床１とかご室天井２との間には、かご出入口３の部分を除いて、複数枚の壁パネルが固定されている。
【００１２】
壁パネルには、複数枚（例えば左右３枚ずつ）の側壁パネル４と、一対の袖壁パネル５と、複数枚（例えば３枚）の奥壁パネル（図示せず）とが含まれている。側壁パネル４は、かご室の側面に配置され、一対の側壁を形成している。袖壁パネル５は、かご室の前面のかご出入口３の両側に配置されている。奥壁パネルは、かご出入口３及び袖壁パネル５に対向してかご室の背面に配置され、奥壁を形成している。
【００１３】
壁パネルの下端部は、かご床１の縁部に設けられた幅木台（図示せず）上に固定されている。幅木台には、帯状の幅木６が固定されている。かご出入口３は、一対のかごドア７により開閉される。
【００１４】
図２は図１の側壁パネル４及び袖壁パネル５の据付前の状態を示す斜視図である。袖壁パネル５は、側壁パネル４のうちの１枚、即ちかご室の前側に位置する側壁パネル４の端部に、複数のヒンジ部８を介して連結されている。これにより、据付前の状態では、袖壁パネル５は側壁パネル４に対して回動可能である。ヒンジ部８は、上下方向に互いに間隔をおいて配置されている。
【００１５】
かご室の据付時には、かご枠（図示せず）及びかご床１が昇降路内に組み立てられ、かつ、かご室天井２がかご床１の上方に吊られた状態で、壁パネルが乗場からかご床１上に搬入される。そして、壁パネルの下端部がかご床１に固定されるとともに、壁パネルの上端部がかご室天井２に固定される。
【００１６】
このとき、側壁パネル４及び袖壁パネル５は、図２のように予め連結された状態でかご床１上に搬入される。即ち、互いに隣接する側壁パネル４同士はボルト等で予め締結され、かつ袖壁パネル５はヒンジ部８を介して側壁パネル４に予め連結される。
【００１７】
このようなエレベータのかご室では、袖壁パネル５が側壁パネル４にヒンジ部８を介して連結されているため、据付時に隙間に手を入れて袖壁パネル５を側壁パネル４に締結する手間を省くことができ、据付作業の作業性を向上させることができる。
【００１８】
また、据付前の状態では、袖壁パネル５が側壁パネル４に対して回動可能であるため、袖壁パネル５を側壁パネル４側へ折り畳むことにより、側壁パネル４と袖壁パネル５との組立体を薄型化することができ、袖壁パネル５を側壁パネル４に連結したままでも組立体を乗場から昇降路内のかご床１上に容易に搬入することができる。さらに、壁パネルの搬送性も向上させることができる。
【００１９】
実施の形態２．
次に、図３はこの発明の実施の形態２によるエレベータのかご室の要部を示す平面図、図４は図３の側壁パネル４及び袖壁パネル５の据付前の状態を示す斜視図である。図において、袖壁パネル５に連結された側壁パネル４には、かご室内に開口した袋状の操作盤収容部４ａが折り曲げ加工により形成されている。操作盤収容部４ａには、第１及び第２の操作盤取付部材９，１０が固定されている。
【００２０】
第１及び第２の操作盤取付部材９，１０には、かご操作盤１１が固定されている。かご操作盤１１は、操作盤収容部４ａの開口からかご室内に臨むように配置されている。また、かご操作盤１１の前面は、側壁パネル４の表面と面一になっている。さらに、据付前の状態では、袖壁パネル５を側壁パネル４側へ回動させることにより、かご操作盤１１が袖壁パネル５により覆われるようになっている。他の構成は、実施の形態１と同様である。
【００２１】
このようなエレベータのかご室では、袖壁パネル５が側壁パネル４にヒンジ部８を介して連結されているため、実施の形態１と同様の効果を得ることができる。
【００２２】
また、操作盤収容部４ａがかご室内に開口しているため、かご操作盤１１を側壁パネル４の据付後に取り付ける場合には、操作盤収容部４ａを有する側壁パネル４とそれに隣接する側壁パネル４との締結は、かご室内から行うことができる。従って、据付場所への搬入前に全ての側壁パネル４を締結する必要がなく、側壁パネル４や袖壁パネル５を乗場から据付場所に容易に搬入することができる。
【００２３】
さらに、据付場所への搬入前に側壁パネル４にかご操作盤１１を取り付ける場合、かご操作盤１１を袖壁パネル５で覆って保護し、かご操作盤１１の損傷を防止することができる。
【００２４】
実施の形態３．
次に、図５はこの発明の実施の形態３による側壁パネル４及び袖壁パネル５の据付前の状態を示す斜視図である。実施の形態２では、操作盤取付部材９，１０を側壁パネル４に固定したが、実施の形態３では、操作盤収容部４ａの開口の両側に、かご操作盤１１を取り付けるための段部４ｂが折り曲げ加工により形成されている。他の構成は、実施の形態２と同様である。
【００２５】
このような構成によっても、実施の形態２と同様の効果を得ることができる。また、側壁パネル４に段部４ｂを形成し、段部４ｂにかご操作盤１１を取り付けるので、部品点数を少なくし、製造を容易にすることができる。
【００２６】
実施の形態４．
次に、図６はこの発明の実施の形態４による側壁パネル４及び袖壁パネル５の据付前の状態を示す斜視図、図７は図６の袖壁パネル５を側壁パネル４側へ回動させた状態を示す斜視図である。図において、袖壁パネル５は、かご出入口３の側部に配置された袖壁部５ａと、袖壁部５ａのかご出入口３とは反対側の端部に、袖壁部５ａと同一材料の折り曲げ加工により設けられた側壁部５ｂとを有している。
【００２７】
側壁部５ｂは、袖壁部５ａに対して直角をなし、隣接する側壁パネル４と並んでかご室の側壁の一部を形成する。側壁部５ｂの袖壁部５ａとは反対側の端部は、ヒンジ部８を介して側壁パネル４に回動可能に連結されている。
【００２８】
かご操作盤１１は、その前面を開閉する操作盤カバー（操作面）１２を有している。操作盤カバー１２は、初期の組立時や、メンテナンス作業の際に開閉される。また、操作盤カバー１２は、ヒンジ部８により側壁パネル４に回動可能に取り付けられている。即ち、ヒンジ部８は、袖壁パネル５の回動用と操作盤カバー１２の開閉用とに兼用されている。
【００２９】
また、据付前の状態では、袖壁パネル５を側壁パネル４側へ回動させることにより、図７に示すように、かご操作盤１１が袖壁パネル５により覆われるようになっている。他の構成は、実施の形態２又は３と同様である。
【００３０】
このような構成によっても、実施の形態２又は３と同様の効果を得ることができる。また、ヒンジ部８が、袖壁パネル５の回動用と操作盤カバー１２の開閉用とに兼用されているので、部品点数を削減することができる。
【００３１】
実施の形態５．
次に、図８はこの発明の実施の形態５による側壁パネル４及び袖壁パネル５の据付前の状態を示す斜視図である。図において、袖壁パネル５は、据付前の状態では、側壁パネル４に対して回動可能、かつ所定の範囲で上下動可能に連結されている。即ち、袖壁パネル５は、上下方向へある程度の遊びを持って側壁パネル４に連結されている。
【００３２】
図９は図８のヒンジ部８を示す分解斜視図である。ヒンジ部８は、側壁パネル４に取り付けられる第１の円筒部１３と、袖壁パネル５に取り付ける第２の円筒部１４と、第１及び第２の円筒部１３，１４に挿入されるピン１５とを有している。袖壁パネル５は、ピン１５が第２の円筒部１４から抜けない範囲で側壁パネル４に対して上下動可能になっている。他の構成は、実施の形態１と同様である。
【００３３】
このような構成によっても、実施の形態１と同様の効果を得ることができる。また、据付時、袖壁パネル５をかご床１上で開く際に、袖壁パネル５の下端部によりかご床１上に傷が付くのを防止することができる。
【００３４】
実施の形態６．
次に、図１０はこの発明の実施の形態６によるヒンジ部８を示す斜視図である。実施の形態６のヒンジ部８は、側壁パネル４に取り付けられた第１の円筒部１６と、袖壁パネル５に取り付けられた第２の円筒部１７と、第１及び第２の円筒部１６，１７に挿入されたピン１８とを有している。第１の円筒部１６と第２の円筒部１７との接合面は、水平面に対して傾斜されている。
【００３５】
これにより、側壁パネル４に対する袖壁パネル５の上下方向の位置が、側壁パネル４に対する袖壁パネル５の回動角度（開閉角度）に応じて自動的に変化するようになっている。具体的には、袖壁パネル５を開くに従って側壁パネル４に対して袖壁パネル５が下動するようになっている。他の構成は、実施の形態５と同様である。
【００３６】
このような構成によれば、側壁パネル４に対して袖壁パネル５を開くだけで、袖壁パネル５を据付位置まで上下方向に移動させることができ、据付の作業性をさらに向上させることができる。
【００３７】
なお、実施の形態１〜６において、ヒンジ部８の個数や上下方向の間隔は特に限定されない。
また、かご操作盤１１は、袖壁パネル５や他の側壁パネル４に設けてもよい。
さらに、側壁パネル４の枚数も特に限定されるものではない。
さらにまた、実施の形態２〜４のように側壁パネル４にかご操作盤１１が取り付けられた構成において、実施の形態５又は６のように袖壁パネル５を上下動可能としてもよい。
【００３８】
実施の形態７．
次に、図１１はこの発明の実施の形態７による側壁パネル４及び袖壁パネル５の据付前の状態を示す斜視図である。図において、袖壁パネル５は、かご出入口３の側部に配置された袖壁部５ａと、袖壁部５ａのかご出入口３とは反対側の端部に袖壁部５ａと同一材料の折り曲げ加工により設けられた側壁部５ｂとを有している。
【００３９】
側壁部５ｂは、袖壁部５ａに対して直角をなし、隣接する側壁パネル４と並んでかご室の側壁の一部を形成する。側壁部５ｂの袖壁部５ａとは反対側の端部は、側壁パネル４にボルト等により締結されている。他の構成は、実施の形態１と同様である。
【００４０】
このような構成によれば、袖壁パネル５に側壁部５ｂが一体形成されており、この側壁部５ｂが側壁パネル４に締結されているため、据付時に隙間に手を入れて袖壁パネル５を側壁パネル４に締結する手間を省くことができ、据付作業の作業性を向上させることができる。
【００４１】
また、袖壁パネル５に側壁部５ｂが一体形成されているため、袖壁パネル５が補強され、袖壁パネル５に別の補強部材を設ける必要がない。
【符号の説明】
【００４２】
３  かご出入口、４  側壁パネル、５  袖壁パネル、５ａ  袖壁部、５ｂ  側壁部、８  ヒンジ部、１１  かご操作盤、１２  操作盤カバー。
【図１】
0005665399.tif 000002
【図２】
0005665399.tif 000003
【図３】
0005665399.tif 000004
【図４】
0005665399.tif 000005
【図５】
0005665399.tif 000006
【図６】
0005665399.tif 000007
【図７】
0005665399.tif 000008
【図８】
0005665399.tif 000009
【図９】
0005665399.tif 000010
【図１０】
0005665399.tif 000011
【図１１】
0005665399.tif 000012